(57)【要約】【課題】小型で、且つシートへの負担を軽減したシート搬送装置、前記シート搬送装置に用いられる分離片、及び前記シート搬送装置を備えた画像読取装置を提供する。【解決手段】分離片３２は、ピックアップローラ３１に向けて湾曲した板状の曲板部３２Ｐを備える。曲板部３２Ｐは、ピックアップローラ３１に当接する曲面３２Ｓを有する。曲板部３２Ｐは、Ｘ軸方向において、曲面３２Ｓとピックアップローラ３１との当接部分ＰＴからＸ軸方向における上流側、及び下流側の両側に延出している。押圧部３３は、ばねの付勢力により、分離片３２をピックアップローラ３１に向かって押圧する。保持部３４は、分離片３２に係合することで分離片３２を保持する。【選択図】        図２
2012071946.tif 000002
【特許請求の範囲】
【請求項１】
シートを分離しながら搬送するシート搬送装置であって、
前記シートを搬送する搬送ローラと、
前記搬送ローラと前記シートを挟んで対向し、前記シートを分離する分離片と、
前記分離片に係合することで前記分離片を保持する保持部と、
前記分離片を前記搬送ローラに向かって押圧する押圧部と、を備え、
前記分離片は、
前記搬送ローラに当接する曲面を有し、前記シートの搬送方向において、前記曲面と前記搬送ローラとの当接部分から前記搬送方向における上流側、及び下流側の両側に延出し、前記搬送ローラに向けて湾曲した板状の曲板部と、
前記保持部に係合する係合部と、を備えることを特徴とするシート搬送装置。
【請求項２】
前記曲面は、前記搬送方向に平行な平行線、及び前記シートに直交する直交線を含む平面により切断した場合の断面が円弧形状であることを特徴とする請求項１に記載のシート搬送装置。
【請求項３】
前記シート搬送装置は、前記シートの搬送方向において、前記当接部分を挟んで対向する一対の前記保持部を備え、
前記分離片は、前記シートの搬送方向において、前記当接部分を挟んで対向し、前記一対の保持部に係合する一対の前記係合部を備えることを特徴とする請求項１または２に記載のシート搬送装置。
【請求項４】
一対の前記係合部は、前記分離片を貫通するように形成された一対の開口部であり、
前記保持部は、前記搬送ローラから離れる方向に延出し、一対の前記開口部に係合する一対の延出部と、
前記延出部の延出方向において一対の前記開口部を挟んで対向し、前記延出方向に交差する方向に前記一対の延出部から延出する一対の規制部と、を備えることを特徴とする請求項３に記載のシート搬送装置。
【請求項５】
一対の前記規制部のうちの少なくとも一方は、前記上流側に延出することを特徴とする請求項４に記載のシート搬送装置。
【請求項６】
一対の前記規制部のうちの少なくとも一方は、前記搬送方向に交差する方向に延出することを特徴とする請求項４または５に記載のシート搬送装置。
【請求項７】
前記押圧部は、前記保持部を備え、前記分離片に係合することで前記分離片を保持しながら、前記分離片を前記搬送ローラに向かって押圧することを特徴とする請求項１〜６に記載のシート搬送装置。
【請求項８】
請求項１〜７のいずれかに記載のシート搬送装置に用いられる分離片。
【請求項９】
請求項１〜７のいずれかに記載のシート搬送装置と、
前記シート搬送装置により搬送される前記シートの画像を読み取る読取部と、を備えることを特徴とする画像読取装置。
【発明の詳細な説明】
【技術分野】
【０００１】
本発明は、シートを分離しながら搬送するシート搬送装置、及び前記シート搬送装置に用いられる分離片、及び前記シート搬送装置を備える画像読取装置に関する。
【背景技術】
【０００２】
従来より、シートを分離しながら搬送するシート搬送装置が種々提案されている。その一例として、特許文献１に開示されているシート搬送装置は、シートを搬送するための搬送部とシートを分離するための分離部とを備える。特許文献１に開示されているシート搬送装置において、分離部は、搬送部とシートを挟んで対向するように配置されている。
【０００３】
特許文献１に開示されているシート搬送装置において、搬送部はゴムローラにより構成され、分離部は、スポンジローラにより構成されている。搬送部と分離部とがともに断面円形状のローラにより構成されていることにより、特許文献１に開示されているシート搬送装置は、シートと搬送部、及び分離部との擦れによるシートへの負担を軽減している。
【先行技術文献】
【特許文献】
【０００４】
【特許文献１】特開平７−１１７８８０号公報
【発明の概要】
【発明が解決しようとする課題】
【０００５】
しかしながら、特許文献１に開示されているシート搬送装置は、シートへの負担を更に軽減しようとすると、分離部を構成しているローラの表面の曲率を小さくする必要があった。分離部を構成しているローラの表面の曲率を小さくするには、分離部を構成しているローラのローラ半径を大きくする必要がある。しかし、ローラ半径を大きくすることは、シート搬送装置の大型化につながる。従って、特許文献１に開示されているシート搬送装置は、シート搬送装置を小型に構成しつつ、シートへの負担を軽減することができなかった。
【０００６】
本発明は、上述した問題点を解決するためになされたものであり、小型で、且つシートへの負担を軽減したシート搬送装置、前記シート搬送装置に用いられる分離片、及び前記シート搬送装置を備えた画像読取装置を提供することを目的とする。
【課題を解決するための手段】
【０００７】
上記目的を達成するために、請求項１記載の本発明は、シートを分離しながら搬送するシート搬送装置であって、前記シートを搬送する搬送ローラと、前記搬送ローラと前記シートを挟んで対向し、前記シートを分離する分離片と、前記分離片に係合することで前記分離片を保持する保持部と、前記分離片を前記搬送ローラに向かって押圧する押圧部と、を備え、前記分離片は、前記搬送ローラに当接する曲面を有し、前記シートの搬送方向において、前記曲面と前記搬送ローラとの当接部分から前記搬送方向における上流側、及び下流側の両側に延出し、前記搬送ローラに向けて湾曲した板状の曲板部と、前記保持部に係合する係合部と、を備えることを特徴とするものである。
【０００８】
請求項２記載の本発明は、請求項１に記載の発明において、前記曲面は、前記搬送方向に平行な平行線、及び前記シートに直交する直交線を含む平面により切断した場合の断面が円弧形状であることを特徴とすることを特徴とするものである。
【０００９】
請求項３記載の本発明は、請求項１または２に記載の発明において、前記シート搬送装置は、前記シートの搬送方向において、前記当接部分を挟んで対向する一対の前記保持部を備え、前記分離片は、前記シートの搬送方向において、前記当接部分を挟んで対向し、前記一対の保持部に係合する一対の前記係合部を備えることを特徴とするものである。
【００１０】
請求項４記載の本発明は、請求項３記載の発明において、一対の前記係合部は、前記分離片を貫通するように形成された一対の開口部であり、前記保持部は、前記搬送ローラから離れる方向に延出し、一対の前記開口部に係合する一対の延出部と、前記延出部の延出方向において一対の前記開口部を挟んで対向し、前記延出方向に交差する方向に前記一対の延出部から延出する一対の規制部と、を備えることを特徴とするものである。
【００１１】
請求項５記載の本発明は、請求項４記載の発明において、一対の前記規制部のうちの少なくとも一方は、前記上流側に延出することを特徴とするものである。
【００１２】
請求項６記載の本発明は、請求項４または５記載の発明において、一対の前記規制部のうちの少なくとも一方は、前記搬送方向に交差する方向に延出することを特徴とするものである。
【００１３】
請求項７記載の本発明は、請求項１〜６に記載の発明において、前記押圧部は、前記保持部を備え、前記分離片に係合することで前記分離片を保持しながら、前記分離片を前記搬送ローラに向かって押圧することを特徴とするものである。
【００１４】
請求項８記載の本発明は、請求項１〜７のいずれかに記載の発明のシート搬送装置に用いられる分離片である。
【００１５】
請求項９記載の本発明は、画像読取装置であって、請求項１〜７のいずれかに記載のシート搬送装置と、前記シート搬送装置により搬送される前記シートの画像を読み取る読取部と、を備えることを特徴とするものである。
【発明の効果】
【００１６】
請求項１記載のシート搬送装置によれば、分離部である分離片を大きくせずとも、搬送ローラに当接する分離片の曲面の曲率を小さくすることができる。従って、分離部をローラにより構成する場合と比較して、分離片をローラに当接する方向において分離片を小さくできるため、シート搬送装置を小型に構成することができる。また、分離片は、曲面によりシートに当接してシートを分離するため、シートへの負担を軽減できる。従って、シート搬送装置を小型に構成しつつ、シートへの負担を軽減することが可能となる。
【００１７】
請求項２記載のシート搬送装置によれば、搬送ローラに当接する曲面の断面が円弧形状である。従って、シートの先端を搬送ローラと分離片との当接部分に案内することができる。従って、シートの先端への負担を軽減することができる。
【００１８】
請求項３記載のシート搬送装置によれば、分離片と搬送ローラとの間でジャムが発生した場合に、ジャムを起こしたシートを取り除くためにシートが引っ張られたとしても、保持部と係合部との係合により、シートの引っ張りにつられて分離片がめくれるおそれを低減できる。また、請求項３記載のシート搬送装置によれば、互いに係合する一対の保持部と、一対の係合部とが、シートの搬送方向において、曲板部と搬送ローラとの当接部分を挟んで対向している。従って、１つの保持部と１つの係合部とのみが係合するシート搬送装置と比較して、分離片がめくれるおそれを更に低減できる。
【００１９】
請求項４記載のシート搬送装置によれば、一対の規制部により、延出部の延出方向への分離片の動きを規制できる。従って、分離片が保持部からはずれるおそれを低減できる。
【００２０】
請求項５記載のシート搬送装置によれば、一対の規制部のうちの少なくとも一方は、上流側に延出している。規制部が下流側に延出している場合、分離片がローラの半径方向に離れる方向に大きく変位すると、分離片が保持部からはずれるおそれがある。しかし、請求項５記載のシート搬送装置によれば、一対の規制部のうちの少なくとも一方は、上流側に延出しているので、分離片が保持部からはずれるおそれを低減できる。
【００２１】
請求項６記載のシート搬送装置によれば、一対の規制部のうちの少なくとも一方は、搬送方向に交差する方向に延出しているため、分離片の変位によって分離片が保持部からはずれるおそれを低減できる。
【００２２】
請求項７記載のシート搬送装置によれば、押圧部と保持部とが別々に備えられるシート搬送装置と比較して、保持部と分離片との係合による押圧部の押圧に対する抵抗により、押圧部の押圧力が弱められる可能性を低減できる。従って、押圧部により分離片が確実に搬送ローラに向かって押圧されるため、確実にシートを分離することが可能となる。
【００２３】
請求項８記載の分離片によれば、分離部である分離片を大きくせずとも、搬送ローラに当接する分離片の曲面の曲率を小さくすることができる。従って、分離部をローラにより構成する場合と比較して、シート搬送装置を小型に構成することができる。また、分離片は、曲面によりシートに当接してシートを分離するため、シートへの負担を軽減できる。従って、シート搬送装置を小型に構成しつつ、シートへの負担を軽減することが可能となる。
【００２４】
請求項９記載の画像読取装置によれば、分離部である分離片を大きくせずとも、搬送ローラに当接する分離片の曲面の曲率を小さくすることができる。従って、分離部をローラにより構成する場合と比較して、分離片をローラに当接する方向に小さくできるため、シート搬送装置を小型に構成することができる。また、分離片は、曲面によりシートに当接してシートを分離するため、シートへの負担を軽減できる。従って、画像読取装置を小型に構成しつつ、シートへの負担を軽減することが可能となる。
【図面の簡単な説明】
【００２５】
【図１】本発明の第１の実施形態に係る画像読取装置１を示す図である。
【図２】上記画像読取装置１の分離片３２と、押圧部３３と、保持部３４と、を詳細に説明するための図である。
【図３】上記保持部３４に取り付けられる前の上記分離片３２を説明するための図である。
【図４】上記画像読取装置１の第１保持部３４Ａを示す図である。
【図５】本発明の第２の実施形態に係る画像読取装置１０１における分離片１３２と、押圧部１３３と、保持部１３４と、を詳細に説明するための図である。
【図６】本発明の一変形例に係る画像読取装置２０１における分離片２３２と、押圧部２３３と、保持部３４と、を詳細に説明するための図である。
【図７】本発明の一変形例に係る画像読取装置における規制部３３４ＲＡの延出方向を示す図である。
【発明を実施するための形態】
【００２６】
（第１の実施形態）
以下、本発明の第１の実施形態について、図面を用いて詳細に説明する。
【００２７】
［画像読取装置の外観］
図１は、本実施形態の画像読取装置１の内部構造を説明するための説明図である。画像読取装置１は、図１に示すように、給紙トレイ２と、搬送路３０と、ピックアップローラ３１と、分離片３２と、押圧部３３と、保持部３４と、搬送ローラ３５Ａと、搬送用従動ローラ３５Ｂと、排紙ローラ３６Ａと、排紙用従動ローラ３６Ｂと、読取部４と、排紙トレイ５と、を備える。本実施形態に係る画像読取装置１は、ユーザにより給紙トレイ２に載置された複数のシートＰＰを搬送路３０内において搬送しながら読み取るシートフィードスキャナである。搬送路３０は、画像読取装置１の上側部材と下側部材との間に形成される。
【００２８】
ピックアップローラ３１は、摩擦力により、給紙トレイ２に載置された複数枚のシートＰＰを画像読取装置１の内部に引き込む。ピックアップローラ３１は、図示しないモータにより矢印方向に回転駆動される。分離片３２は、摩擦力により、複数枚のシートＰＰを分離する。押圧部３３は、ばねの付勢力により、分離片３２をピックアップローラ３１に向かって押圧する。保持部３４は、分離片３２に係合することで分離片３２を保持する。
【００２９】
搬送ローラ３５Ａは、図示しないモータにより駆動されてシートＰＰを搬送する。搬送用従動ローラ３５Ｂは、搬送ローラ３５Ａと対向して配置される。搬送ローラ３５Ａと搬送用従動ローラ３５Ｂとは、搬送ローラ３５Ａと搬送用従動ローラ３５Ｂとの間にシートＰＰを挟む。シートＰＰは、搬送ローラ３５ＡとシートＰＰとの間の摩擦力により、搬送路３０内を搬送される。
【００３０】
読取部４は、搬送路３０を挟んで対向する一対の密着イメージセンサ（Ｃｏｎｔａｃｔ  Ｉｍａｇｅ  Ｓｅｎｓｏｒ、以後「ＣＩＳ」と記す）４Ａ、４Ｂにより構成される。読取部４は、シートＰＰの表面、及び裏面の画像を読み取る。読み取られた画像は図示および詳細な説明を省略する周知のＵＳＢ又はネットワーク経由でパソコンやサーバに転送される。
【００３１】
排紙ローラ３６Ａは、搬送路３０内のシートＰＰの搬送方向において読取部４の下流側に配置される。排紙用従動ローラ３６Ｂは、排出ローラ３６Ａと対向して配置される。排紙ローラ３６Ａと排紙用従動ローラ３６Ｂとは、排紙ローラ３６Ａと排紙用従動ローラ３６Ｂとの間にシートＰＰを挟む。シートＰＰは、排紙ローラ３６ＡとシートＰＰとの間の摩擦力により、搬送路３０内を搬送される。排紙ローラ３６Ａは、搬送路３０内を搬送されたシートＰＰを排紙トレイ５に送る。排紙ローラ３６Ａは、図示しないモータにより矢印方向に回転駆動される。シートＰＰは、排紙トレイ５に排紙される。
【００３２】
以後、図１に示すように、ピックアップローラ３１と分離片３２との間を搬送されるシートＰＰの搬送方向をＸ軸方向、ピックアップローラ３１と分離片３２との間を搬送されるシートＰＰの表面に平行な面上で、且つＸ軸方向に垂直な方向をＹ軸方向、ピックアップローラ３１と分離片３２との間を搬送されるシートＰＰの表面に垂直な方向をＺ軸方向として定義する。なお、以後、「上」、または「表」と記した場合、図１に示す矢印が指すＺ軸の正方向を意味し、「下」、または「裏」と記した場合、図１に示すＺ軸の負方向を意味するものとする。「上流側」、及び「下流側」と記した場合、各々図１に示すＸ軸の負方向側、及び正方向側を意味するものとする。Ｘ軸方向、Ｙ軸方向、Ｚ軸方向の定義は他の図面においても共通のものとする。
【００３３】
［分離機構の詳細］
図２を用いて、分離片３２と、押圧部３３と、保持部３４と、について詳細に説明する。分離片３２は、図２に示すように、ピックアップローラ３１に向けて湾曲した板状の曲板部３２Ｐを備える。曲板部３２Ｐは、ピックアップローラ３１に当接する曲面３２Ｓを有する。曲面３２Ｓは、ＸＺ平面により切断した場合の断面が円弧形状である。曲板部３２Ｐは、Ｘ軸方向において、曲面３２Ｓとピックアップローラ３１との当接部分ＰＴからＸ軸方向における上流側、及び下流側の両側に延出している。
【００３４】
保持部３４は、Ｘ軸方向において、当接部分ＰＴを挟んで対向する第１保持部３４Ａ、及び第２保持部３４Ｂを備える。分離片３２は、Ｘ軸方向において、当接部分ＰＴを挟んで対向し、第１保持部３４Ａ、及び第２保持部３４Ｂに係合する第１係合部３２Ａ、及び第２係合部３２Ｂを備える。第１係合部３２Ａ、及び第２係合部３２Ｂは、分離片３２を貫通するように形成された開口部である。
【００３５】
分離片３２は、図３に示すように弾性を有するものであれば、その材質等は問わないが、本実施形態においては、１枚のゴム製の板である。分離片３２は、図３に示すように開口部である第１係合部３２Ａ、及び第２係合部３２Ｂを備える。分離片３２を保持部３４に取り付ける際、この板を引き伸ばすなどして、第１係合部３２Ａ、及び第２係合部３２Ｂを第１保持部３４Ａ、及び第２保持部３４Ｂに係合させる。この係合により、分離片３２が保持部３４により保持される。この取り付け時に、分離片がピックアップローラ３１に向けて湾曲される。この湾曲により、曲板部３２Ｐ、及び曲面３２Ｓが形成される。
【００３６】
第１保持部３４Ａ、及び第２保持部３４Ｂは、延出部３４ＥＡ、３４ＥＢと、規制部３４ＲＡ、３４ＲＢと、を備える。延出部３４ＥＡ、３４ＥＢは、Ｚ軸方向において、ピックアップローラ３１から離れる方向に延出している。第１保持部３４Ａの延出部３４ＥＡは、開口部である第１係合部３２Ａに係合する。第１保持部３４Ｂの延出部３４ＥＢは、開口部である第２係合部３２Ｂに係合する。規制部３４ＲＡ、３４ＲＢは、図４などに示すように、延出部３４ＥＡ、３４ＥＢの延出方向であるＺ軸方向に直交するＹ軸方向の両側に延出している。なお、図４において第１保持部３４Ａのみを示しているが、第３保持部３４Ｂも同じ構造をしている。
【００３７】
画像読取装置１によれば、例えば、押圧部３３の押圧力を大きく設定することで、分離片３２の曲面３２Ｓの曲率を小さくすることができる。また、例えば、弾性を有する分離片３２をＸ軸方向の両側に引き伸ばされた状態で保持部３４により保持させることで、分離片３２の曲面３２Ｓの曲率を小さくすることができる。従って、分離部をローラにより構成する場合と比較して、分離片３２をＺ軸方向に大きくする必要なく、シートへの負担を軽減することが可能である。
【００３８】
また、画像読取装置１によれば、曲面３２Ｓは、ＸＺ平面により切断した場合の断面が円弧形状である。従って、シートＰＰの先端をピックアップローラ３１と分離片３２との当接部分ＰＴに案内することができる。従って、シートの先端への負担を軽減することができる。
【００３９】
また、画像読取装置１によれば、Ｘ軸方向において、当接部分ＰＴを挟んで対向する一対の保持部３４Ａ、３４Ｂを備え、分離片３２は、Ｘ軸方向において、当接部分ＰＴを挟んで対向し、一対の保持部３４Ａ、３４Ｂに係合する一対の係合部３２Ａ、３２Ｂを備える。従って、分離片３２とピックアップローラ３１との間でジャムが発生した場合に、ジャムを起こしたシートＰＰを取り除くためにシートＰＰが引っ張られたとしても、一対の保持部３４Ａ、３４Ｂと一対の係合部３２Ａ、３２Ｂとの係合により、シートＰＰの引っ張りにつられて分離片３２がめくれるおそれを低減できる。また、保持部と係合部とが各々一対ずつあるため、１つの保持部と１つの係合部とのみが係合する画像読取装置と比較して、分離片３２がめくれるおそれを更に低減できる。
【００４０】
また、画像読取装置１によれば、一対の係合部３２Ａ、３２Ｂは、分離片３２を貫通するように形成された一対の開口部である。一対の保持部３４Ａ、３４Ｂは、Ｚ軸方向においてピックアップローラ３１から離れる方向に延出する。一対の保持部３４Ａ、３４Ｂは、一対の係合部３２Ａ、３２Ｂに係合する一対の延出部３４ＥＡ、３４ＥＢを備える。一対の保持部３４Ａ、３４Ｂは、延出部３４ＥＡ、３４ＥＢの延出方向であるＺ軸方向において一対の係合部３２Ａ、３２Ｂを挟んでＰＰシートと対向し、Ｚ軸方向に直交する方向に一対の延出部３４ＥＡ、３４ＥＢから延出する一対の規制部３４ＲＡ、３４ＲＢを備える。従って、一対の規制部３４ＲＡ、３４ＲＢにより、Ｚ軸方向への分離片３２の動きを規制できる。従って、分離片３２が保持部３４からはずれるおそれを低減できる。
【００４１】
また、画像読取装置１によれば、一対の規制部３４ＲＡ、３４ＲＢは、搬送方向であるＸ軸方向に直交する方向であるＹ軸方向に延出しているため、分離片３２の変位によって分離片３２が保持部３４からはずれるおそれを低減できる。
【００４２】
（第２の実施形態）
本発明の第２の実施形態について図面を参照して説明する。第２の実施形態において、画像読取装置１０１の内部構造は、ピックアップローラ、分離片、押圧部、及び保持部等を備える分離機構以外の部分において、図１において示した画像読取装置１と同様の構造である。第２の実施形態において、第１の実施形態と同一の構成は、同一の番号を付して説明する。
【００４３】
図５を用いて、第２の実施形態における分離片１３２と、押圧部１３３と、保持部１３４と、について詳細に説明する。分離片１３２は、図５に示すように、ピックアップローラ１３１に向けて湾曲した板状の曲板部１３２Ｐを備える。曲板部１３２Ｐは、ピックアップローラ１３１に当接する曲面１３２Ｓを有する。曲面１３２Ｓは、ＸＺ平面により切断した場合の断面が円弧形状である。曲板部１３２Ｐは、Ｘ軸方向において、曲面１３２Ｓとピックアップローラ１３１との当接部分ＰＴからＸ軸方向における上流側、及び下流側の両側に延出している。
【００４４】
押圧部１３３は、保持部１３４を備える。押圧部１３３は、保持部１３４により分離片１３２に係合する。この係合により、押圧部１３３は、分離片１３２を保持しながら、分離片１３２をピックアップローラ１３１に向かって押圧する。
【００４５】
保持部１３４は、Ｘ軸方向において、当接部分ＰＴを挟んで対向する第１保持部１３４Ａ、及び第２保持部１３４Ｂを備える。分離片１３２は、Ｘ軸方向において、当接部分ＰＴを挟んで対向し、第１保持部１３４Ａ、及び第２保持部１３４Ｂに係合する第１係合部１３２Ａ、及び第２係合部１３２Ｂを備える。第１係合部１３２Ａ、及び第２係合部１３２Ｂは、分離片１３２を貫通するように形成された開口部である。
【００４６】
第１保持部１３４Ａ、及び第２保持部１３４Ｂは、延出部１３４ＥＡ、１３４ＥＢと、規制部１３４ＲＡ、１３４ＲＢと、を備える。第１保持部１３４Ａの延出部１３４ＥＡは、開口部である第１係合部１３２Ａに係合する。第１保持部１３４Ｂの延出部１３４ＥＢは、開口部である第２係合部１３２Ｂに係合する。規制部１３４ＲＡ、１３４ＲＢは、延出部１３４ＥＡ、１３４ＥＢの延出方向に直交する方向であるＹ軸方向の両側に延出している。
【００４７】
画像読取装置１０１によれば、押圧部と保持部とが別々に備えられる装置と比較して、保持部と分離片との係合による押圧部の押圧に対する抵抗により、押圧部の押圧力が弱められるおそれを低減できる。従って、押圧部１３３により分離片１３２が確実にピックアップローラ１３１に向かって押圧されるため、確実にシートＰＰを分離することが可能となる。
【００４８】
（変形例）
本発明は、今までに述べた実施形態に限定されることは無く、その趣旨を逸脱しない範囲において種々の変形・変更が可能である。以下にその変形の一例を述べる。以下に示す変形例において、第１、及び第２の実施形態と同一の構成は、同一の番号を付して説明する。
【００４９】
第１、及び第２の実施形態において、分離片３２、１３２と接する押圧部３３、１３３の表面は、図２、及び図５などにおいて示したように、分離片３２、１３２と当接する曲面３２Ｓ、１３２Ｓと同じ形状であった。しかし、これに限らず、例えば、図６において示すように、押圧部２３３の表面２３３Ｓは、分離片２３２の曲面２３２Ｓと異なる形状であってもよい。なお、図６において示す押圧部２３３は、直方体形状である。従って、押圧部２３３の表面２３３Ｓは、長方形である。一方、分離片２３２の曲面２３２Ｓは、曲面形状である。
【００５０】
第１、及び第２の実施形態において、規制部３４ＲＡ、３４ＲＢ、１３４ＲＡ、１３４ＲＢは、延出部３４ＥＡ、３４ＥＢ、１３４ＥＡ、１３４ＥＢの延出方向に直交する方向の両側に延出していた。しかし、これに限らず、規制部は、例えば、延出部の延出方向に直交する方向の片側に延出していてもよい。また、規制部は、例えば、分離片が保持部からはずれない程度に、延出方向に交差する方向の少なくとも一方側に延出していてもよい。また、規制部は、例えば、シートの搬送方向に延出していてもよい。一対の規制部がシートの搬送方向に延出する場合、一対の規制部の少なくとも一方が、図７に示す規制部３３４ＲＡのように、搬送方向の上流側に延出してもよい。規制部が下流側に延出している場合、分離片がローラの半径方向に離れる方向に大きく変位すると、分離片が保持部からはずれるおそれがある。従って、一対の規制部の少なくとも一方が上流側に延出することで、分離片が保持部からはずれるおそれを低減できる。
【００５１】
第１、及び第２の実施形態において、曲面３２Ｓ、１３２Ｓは、ＸＺ平面により切断した場合の断面が円弧形状であった。しかし、これに限らず、曲面は、例えば、断面が楕円弧形状、放物線形状などになる形状であってもよい。また、第１、及び第２の実施形態において、曲面３２Ｓ、１３２Ｓは、曲板部３２Ｐ、１３２頂点を境に対称となる形状をしていた。しかし、これに限らず、曲面は、頂点を境に非対称となる形状をしていてもよい。
【００５２】
第１、及び第２の実施形態において、シート搬送装置、及び画像読取装置の一例として、シートフィードスキャナを挙げたが、これに限らず、例えば、シートフィーダ、ＦＡＸ、自動搬送機能付きの複合機、及び改札機などであってもよい。
【符号の説明】
【００５３】
１、１０１、２０１  画像読取装置
２  給紙トレイ
３１、１３１  ピックアップローラ
３２、１３２、２３２  分離片
３２Ｐ、１３２Ｐ  曲板部
３２Ｓ、１３２Ｓ  曲面
３２Ａ、１３２Ａ  第１係合部
３２Ｂ、１３２Ｂ  第２係合部
３３、１３３、２３３  押圧部
３４、１３４  保持部
３４Ａ、１３４Ａ  第１保持部
３４Ｂ、１３４Ｂ  第２保持部
３４ＥＡ、３４ＥＢ、１３４ＥＡ、１３４ＥＢ  延出部
３４ＲＡ、３４ＲＢ、１３４ＲＡ、１３４ＲＢ、３３４ＲＡ  規制部
３５Ａ  搬送ローラ
４  読取部
ＰＴ  当接部分
【図１】
2012071946.tif 000003
【図２】
2012071946.tif 000004
【図３】
2012071946.tif 000005
【図４】
2012071946.tif 000006
【図５】
2012071946.tif 000007
【図６】
2012071946.tif 000008
【図７】
2012071946.tif 000009